(57)【特許請求の範囲】
【請求項１】
媒体を搬送方向に搬送する搬送部と、
前記媒体に背景色インクを噴射する上流側背景色ノズルと、
前記媒体にカラーインクを噴射する上流側カラーノズルと、
前記搬送方向について前記上流側背景色ノズルよりも下流側に設けられ、前記媒体に前記背景色インクを噴射する下流側背景色ノズルと、
前記搬送方向について前記上流側カラーノズルよりも下流側に設けられ、前記媒体に前記カラーインクを噴射する下流側カラーノズルと、
前記上流側背景色ノズルと前記上流側カラーノズルとを前記搬送方向と交差する交差方向に移動させて、前記上流側背景色ノズルが噴射する前記背景色インクと前記上流側カラーノズルが噴射する前記カラーインクとを混ぜて背景画像を形成させ、前記下流側カラーノズルを前記交差方向に移動させて、前記下流側カラーノズルにカラー画像を形成させる制御部と、
を備え、
前記背景色インクは白色のインクであり、
前記白色のインクが色彩を有する場合、前記制御部は、前記色彩を打ち消すインクを前記背景画像の形成に用いる前記カラーインクとする、印刷装置。
【請求項２】
媒体を搬送方向に搬送する搬送部と、
前記媒体に背景色インクを噴射する上流側背景色ノズルと、
前記媒体にカラーインクを噴射する上流側カラーノズルと、
前記搬送方向について前記上流側背景色ノズルよりも下流側に設けられ、前記媒体に前記背景色インクを噴射する下流側背景色ノズルと、
前記搬送方向について前記上流側カラーノズルよりも下流側に設けられ、前記媒体に前記カラーインクを噴射する下流側カラーノズルと、
前記上流側カラーノズルを前記搬送方向と交差する交差方向に移動させて、前記上流側カラーノズルにカラー画像を形成させ、前記下流側背景色ノズルと前記下流側カラーノズルとを前記交差方向に移動させて、前記下流側背景色ノズルが噴射する前記背景色インクと前記下流側カラーノズルが噴射する前記カラーインクとを混ぜて背景画像を形成させる制御部と、
を備え、
前記背景色インクは白色のインクであり、
前記白色のインクが色彩を有する場合、前記制御部は、前記色彩を打ち消すインクを前記背景画像の形成に用いる前記カラーインクとする、印刷装置。
【請求項３】
請求項１又は２に記載の印刷装置であって、
前記背景画像を構成する前記カラーインクの割合は、前記背景画像を構成する前記背景色インクの割合より小さい、印刷装置。
【請求項４】
請求項１乃至３のいずれか一項に記載の印刷装置であって、
前記制御部は、前記カラー画像と重ねて前記背景画像を形成させる、印刷装置。
【請求項５】
請求項１乃至３のいずれか一項に記載の印刷装置であって、
前記制御部は、前記カラー画像と重ねずに前記背景画像を形成させる、印刷装置。
【請求項６】
媒体を搬送方向に搬送する搬送部と、前記媒体に背景色インクを噴射する上流側背景色ノズルと、前記媒体にカラーインクを噴射する上流側カラーノズルと、前記搬送方向について前記上流側背景色ノズルよりも下流側に設けられ、前記媒体に前記背景色インクを噴射する下流側背景色ノズルと、前記搬送方向について前記上流側カラーノズルよりも下流側に設けられ、前記媒体に前記カラーインクを噴射する下流側カラーノズルと、
を備えた印刷装置における印刷方法であって、
前記上流側背景色ノズルと前記上流側カラーノズルとを前記搬送方向と交差する交差方向に移動させて、前記上流側背景色ノズルが噴射する前記背景色インクと前記上流側カラーノズルが噴射する前記カラーインクとを混ぜて背景画像を形成させ、
前記下流側カラーノズルを前記交差方向に移動させて、前記下流側カラーノズルにカラー画像を形成させ、
前記背景色インクは白色のインクであり、
前記白色のインクが色彩を有する場合、前記色彩を打ち消すインクを前記背景画像の形成に用いる前記カラーインクとする、印刷方法。
【発明の詳細な説明】
【技術分野】
【０００１】
本発明は、印刷装置及び印刷方法に関する。
【背景技術】
【０００２】
媒体に背景画像を形成し、さらに、この背景画像上にカラーの画像を形成するプリンタが開発されている。例えば、白色の背景画像を形成するとき、利用者が望む「白色」となるように少量のカラーインクを背景画像に混合し、背景画像の調色が行われることがある。
【先行技術文献】
【特許文献】
【０００３】
【特許文献１】特開２００２−５３０２２９号公報
【特許文献２】特開平１−１２７３５７号公報
【特許文献３】特開２００７−２７６２７９号公報
【特許文献４】特開２００３−２５１９１６号公報
【特許文献５】特開平１１−１８８８９７号公報
【発明の概要】
【発明が解決しようとする課題】
【０００４】
しかしながら、白色インクが着弾してから、所定の時間が経過した後にカラーインクを着弾させた場合、両者は混色せず、背景画像のドット粒状性が悪くなるという問題があった。また、より広い色再現域を得ることにより、適切に調色された背景画像を得ることが望まれる。  
本発明は、このような事情に鑑みてなされたものであり、適切に調色された背景画像を得ることを目的とする。
【課題を解決するための手段】
【０００５】
上記目的を達成するための主たる発明は、
媒体を搬送方向に搬送する搬送部と、
前記媒体に背景色インクを噴射する上流側背景色ノズルと、
前記媒体にカラーインクを噴射する上流側カラーノズルと、
前記搬送方向について前記上流側背景色ノズルよりも下流側に設けられ、前記媒体に前記背景色インクを噴射する下流側背景色ノズルと、
前記搬送方向について前記上流側カラーノズルよりも下流側に設けられ、前記媒体に前記カラーインクを噴射する下流側カラーノズルと、
前記上流側背景色ノズルと前記上流側カラーノズルとを前記搬送方向と交差する交差方向に移動させて、前記上流側背景色ノズルが噴射する前記背景色インクと前記上流側カラーノズルが噴射する前記カラーインクとを混ぜて背景画像を形成させ、前記下流側カラーノズルを前記交差方向に移動させて、前記下流側カラーノズルにカラー画像を形成させる制御部と、
を備え、
前記背景色インクは白色のインクであり、
前記白色のインクが色彩を有する場合、前記制御部は、前記色彩を打ち消すインクを前記背景画像の形成に用いる前記カラーインクとする、印刷装置である。
【０００６】
前記目的を達成するための他の主たる発明は、
（Ａ）媒体を搬送方向に搬送する搬送部と、
（Ｂ）前記媒体に背景色インクを噴射する上流側背景色ノズルと、
（Ｃ）前記媒体にカラーインクを噴射する上流側カラーノズルと、
（Ｄ）前記搬送方向について前記上流側背景色ノズルよりも下流側に設けられる下流側背景色ノズルであって、前記媒体に前記背景色インクを噴射する下流側背景色ノズルと、
（Ｅ）前記媒体に前記カラーインクを噴射する下流側カラーノズルであって、前記媒体に前記カラーインクを噴射する下流側カラーノズルと、
（Ｆ）前記搬送方向と交差する交差方向に、前記上流側背景色ノズルと、前記上流側カラーノズルと、前記下流側背景色ノズルと、前記下流側カラーノズルとを移動させる移動部と、
（Ｇ）前記交差方向に前記上流側カラーノズルを移動させて前記上流側カラーノズルにカラー画像を形成させ、前記交差方向に前記下流側背景色ノズルと前記下流側カラーノズルとを移動させて前記下流側背景色ノズルと前記下流側カラーノズルとに背景画像を形成させる制御部であって、前記上流側背景色ノズルと前記上流側カラーノズルからそれぞれのインクを噴射させ前記背景画像を調色する制御部と、
を備え、
（Ｈ）前記背景画像を形成する際に、前記下流側背景色ノズルによる画像の形成領域と、前記下流側カラーノズルによる画像の形成領域とが、少なくとも一部において重なる、
印刷装置である。
【０００７】
本発明の他の特徴については、本明細書及び添付図面の記載により明らかにする。
【図面の簡単な説明】
【０００８】
【図１】プリンター１の全体構成ブロック図である。
【図２】プリンター１の斜視図である。
【図３】ヘッド４１の下面に設けられるノズルの配列を示す図である。
【図４】本実施形態における印刷モードを説明する図である。
【図５】図５Ａは、白色を調色する白調色の概念を示す説明図（その１）であり、図５Ｂは、白色を調色する白調色の概念を示す説明図（その２）である。
【図６】図６Ａは、カラー画像及び背景画像の色再現域（ガマット）の一例を示す説明図（その１）であり、図６Ａは、カラー画像及び背景画像の色再現域（ガマット）の一例を示す説明図（その２）である。
【図７】表刷りモードにおける印刷パターン１の説明図である。
【図８】裏刷りモードにおける印刷パターン１の説明図である。
【図９】表刷りモードにおける印刷パターン２の説明図である。
【図１０】表刷りモードにおける印刷パターン３の説明図である。
【図１１】表刷りモードにおける印刷パターン４の説明図である。
【図１２】表刷りモードにおける印刷パターン５の説明図である。
【発明を実施するための形態】
【０００９】
本明細書及び添付図面の記載により、少なくとも、以下の事項が明らかとなる。
【００１０】
（Ａ）媒体を搬送方向に搬送する搬送部と、
（Ｂ）前記媒体に背景色インクを噴射するノズルが前記搬送方向に沿って並ぶ上流側背景色ノズル列と、
（Ｃ）前記媒体にカラーインクを噴射するノズルが前記搬送方向に沿って並ぶ上流側カラーノズル列であって、該上流側カラーノズル列の各ノズルが前記上流側背景色ノズル列の各ノズルと前記搬送方向について重なる上流側カラーノズル列と、
（Ｄ）前記搬送方向について前記上流側背景色ノズル列よりも下流側に設けられる下流側背景色ノズル列であって、前記媒体に前記背景色インクを噴射するノズルが前記搬送方向に沿って並ぶ下流側背景色ノズル列と、
（Ｅ）前記媒体に前記カラーインクを噴射するノズルが前記搬送方向に沿って並ぶ下流側カラーノズル列であって、該下流側カラーノズル列の各ノズルが前記下流側背景色ノズル列の各ノズルと前記搬送方向について重なる下流側カラーノズル列と、
（Ｆ）前記搬送方向と交差する交差方向のうち往路方向及び復路方向のいずれかの方向に前記上流側背景色ノズル列と前記上流側カラーノズル列とを同時に移動させ、前記往路方向及び前記復路方向のいずれかの方向に前記下流側背景色ノズル列と前記下流側カラーノズル列とを同時に移動させる移動部と、
（Ｇ）前記上流側背景色ノズル列と前記上流側カラーノズル列に背景画像を形成させ、少なくとも前記下流側カラーノズル列にカラー画像を形成させる制御部であって、
前記背景画像を形成する際に、前記往路方向及び前記復路方向のいずれかの方向への前記上流側背景色ノズル列と前記上流側カラーノズル列の同時の移動において、前記上流側背景色ノズル列と前記上流側カラーノズル列からそれぞれのインクを噴射させ前記背景画像を調色する制御部と、
を備える印刷装置。  
このようにすることで、適切に調色された背景画像を得ることができる。
【００１１】
（Ａ）媒体を搬送方向に搬送する搬送部と、
（Ｂ）前記媒体に背景色インクを噴射するノズルが前記搬送方向に沿って並ぶ上流側背景色ノズル列と、
（Ｃ）前記媒体にカラーインクを噴射するノズルが前記搬送方向に沿って並ぶ上流側カラーノズル列であって、該上流側カラーノズル列の各ノズルが前記上流側背景色ノズル列の各ノズルと前記搬送方向について重なる上流側カラーノズル列と、
（Ｄ）前記搬送方向について前記上流側背景色ノズル列よりも下流側に設けられる下流側背景色ノズル列であって、前記媒体に前記背景色インクを噴射するノズルが前記搬送方向に沿って並ぶ下流側背景色ノズル列と、
（Ｅ）前記媒体に前記カラーインクを噴射するノズルが前記搬送方向に沿って並ぶ下流側カラーノズル列であって、該下流側カラーノズル列の各ノズルが前記下流側背景色ノズル列の各ノズルと前記搬送方向について重なる下流側カラーノズル列と、
（Ｆ）前記搬送方向と交差する交差方向のうち往路方向及び復路方向のいずれかの方向に前記上流側背景色ノズル列と前記上流側カラーノズル列とを同時に移動させ、前記往路方向及び前記復路方向のいずれかの方向に前記下流側背景色ノズル列と前記下流側カラーノズル列とを同時に移動させる移動部と、
（Ｇ）少なくとも前記上流側カラーノズル列にカラー画像を形成させ、前記下流側背景色ノズル列と前記下流側カラーノズル列に背景画像を形成させる制御部であって、
前記背景画像を形成する際に、前記往路方向及び前記復路方向のいずれかの方向への前記下流側背景色ノズル列と前記下流側カラーノズル列の同時の移動において、前記下流側背景色ノズル列と前記下流側カラーノズル列からそれぞれのインクを噴射させ前記背景画像を調色する制御部と、
を備える印刷装置。  
このようにすることで、適切に調色された背景画像を得ることができる。
【００１２】
また、前記上流側背景色ノズル列と前記上流側カラーノズル列は前記交差方向に一体に移動し、前記下流側背景色ノズル列と前記下流側カラーノズル列は前記交差方向に一体に移動することが望ましい。  
このようにすることによって、多くの時間差を要さずに、背景色ノズル列のインク滴とカラーノズル列のインク滴を噴射することができる。
【００１３】
また、前記制御部は、前記カラー画像と重ねて形成される背景画像を調色することが望ましい。  
このようにすることで、カラー画像の背景に適切に調色された背景画像を形成することができる。
【００１４】
また、前記制御部は、前記カラー画像と重ねて形成されない背景画像を調色することとしてもよい。  
このようにすることで、カラー画像が印刷されない領域に適切に調色された０背景画像を形成することができる。
【００１５】
また、前記背景色インクは白色のインクであることが望ましい。  
このようにすることで、白色をベースとした背景画像を形成することができる。
【００１６】
また、前記背景色インクはメタリック調のインクであることとしてもよい。  
このようにすることで、メタリックをベースとした背景画像を形成することができる。
【００１７】
（Ａ）媒体を搬送方向に搬送する搬送部と、
（Ｂ）前記媒体に背景色インクを噴射するノズルが前記搬送方向に沿って並ぶ上流側背景色ノズル列と、
（Ｃ）前記媒体にカラーインクを噴射するノズルが前記搬送方向に沿って並ぶ上流側カラーノズル列であって、該上流側カラーノズル列の各ノズルが前記上流側背景色ノズル列の各ノズルと前記搬送方向について重なる上流側カラーノズル列と、
（Ｄ）前記搬送方向について前記上流側背景色ノズル列よりも下流側に設けられる下流側背景色ノズル列であって、前記媒体に前記背景色インクを噴射するノズルが前記搬送方向に沿って並ぶ下流側背景色ノズル列と、
（Ｅ）前記媒体に前記カラーインクを噴射するノズルが前記搬送方向に沿って並ぶ下流側カラーノズル列であって、該下流側カラーノズル列の各ノズルが前記下流側背景色ノズル列の各ノズルと前記搬送方向について重なる下流側カラーノズル列と、
（Ｆ）前記搬送方向と交差する交差方向のうち往路方向及び復路方向のいずれかの方向に前記上流側背景色ノズル列と前記上流側カラーノズル列とを同時に移動させ、前記往路方向及び前記復路方向のいずれかの方向に前記下流側背景色ノズル列と前記下流側カラーノズル列とを同時に移動させる移動部と、
（Ｇ）前記上流側背景色ノズル列と前記上流側カラーノズル列に背景画像を形成させ、少なくとも前記下流側カラーノズル列にカラー画像を形成させる制御部と、
を備える印刷装置における印刷方法であって、
前記背景画像を形成する際に、前記往路方向及び前記復路方向のいずれかの方向への前記上流側背景色ノズル列と前記上流側カラーノズル列の同時の移動において、前記上流側背景色ノズル列と前記上流側カラーノズル列からそれぞれのインクを噴射させ前記背景画像を調色する印刷方法。  
このようにすることで、適切に調色された背景画像を得ることができる。
【００１８】
＝＝＝実施形態＝＝＝
以下、印刷装置をインクジェットプリンター（以下、プリンター）とし、プリンターとコンピューターが接続された印刷システムを例に挙げて実施形態を説明する。
【００１９】
図１は、プリンター１の全体構成ブロック図である。図２は、プリンター１の斜視図である。コンピューター６０は、プリンター１と通信可能に接続されており、プリンター１に画像を印刷させるための印刷データをプリンター１に出力する。なお、コンピューター６０には、アプリケーションプログラムから出力された画像データを印刷データに変換するためのプログラム（プリンタードライバー）がインストールされている。プリンタードライバーは、ＣＤ−ＲＯＭなどの記録媒体（コンピューターが読み取り可能な記録媒体）に記録されていたり、インターネットを介してコンピューターにダウンロード可能であったりする。
【００２０】
コントローラー１０は、プリンター１の制御を行うための制御ユニットである。インターフェース部１１はコンピューター６０とプリンター１との間でデータの送受信を行うためのものである。ＣＰＵ１２はプリンター１全体の制御を行うための演算処理装置である。メモリー１３はＣＰＵ１２のプログラムを格納する領域や作業領域等を確保するためのものである。ＣＰＵ１２はユニット制御回路１４により各ユニットを制御する。なお、プリンター１内の状況を検出器群５０が監視し、その検出結果に基づいて、コントローラー１０は各ユニットを制御する。
【００２１】
搬送ユニット２０は、媒体Ｓを印刷可能な位置に送り込み、印刷時には搬送方向に所定の搬送量で媒体Ｓを搬送させるものである。  
キャリッジユニット３０は、ヘッド４１を搬送方向と交差する移動方向に移動させるためのものであり、キャリッジ３１を有する。
【００２２】
ヘッドユニット４０は、媒体Ｓにインクを噴射するためのものであり、ヘッド４１を有する。ヘッド４１はキャリッジ３１によって移動方向に移動する。ヘッド４１の下面には、インク噴射部であるノズルが複数設けられ、各ノズルには、インクが入ったインク室（不図示）が設けられている。
【００２３】
図３は、ヘッド４１の下面に設けられるノズルの配列を示す図である。なお、図はヘッド４１の上面から仮想的にノズルを見た図である。ヘッド４１の下面には、１８０個のノズルが搬送方向に所定の間隔（ノズルピッチＤ）で並んだノズル列が５列形成されている。図示するように、ブラックインクを噴射するブラックノズル列Ｋ・シアンインクを噴射するシアンノズル列Ｃ・マゼンタインクを噴射するマゼンタノズル列Ｍ・イエローインクを噴射するイエローノズル列Ｙ・白インクを噴射するホワイトノズル列Ｗが、移動方向に並んでいる。なお、各ノズル列が有する１８０個のノズルに対して、搬送方向の下流側のノズルから順に小さい番号を付す（＃１〜＃１８０）。
【００２４】
このようなプリンター１では、移動方向に沿って移動するヘッド４１からインク滴を断続的に噴射させて媒体上にドットを形成するドット形成処理と、媒体をヘッド４１に対して搬送方向に搬送する搬送処理とが繰り返される。そうすることで、先のドット形成処理により形成されたドットの位置とは異なる媒体上の位置に、後のドット形成処理にてドットを形成することができ、媒体上に２次元の画像を印刷することができる。なお、ヘッド４１がインク滴を噴射しながら移動方向に１回移動する動作（１回のドット形成処理・噴射動作に相当）を「パス」と呼ぶ。
【００２５】
図４は、本実施形態における印刷モードを説明する図である。プリンター１は、カラー画像を印刷面側から見るように印刷する「表刷りモード」と、カラー画像を媒体側（画像形成側の反対側）から見るように印刷する「裏刷りモード」のうちの、何れか一方のモードにて媒体上に画像を形成することができる。
【００２６】
カラー画像と背景画像を重ねて印刷するため、表刷りモードでは媒体の所定領域に対して先に背景画像を印刷し、その背景画像上にカラー画像を印刷することになる。逆に、裏刷りモードでは媒体の所定領域に対して先にカラー画像を印刷し、そのカラー画像上に背景画像を印刷することになる。
【００２７】
尚、ここでは、カラー画像と背景画像を重ねて印刷する印刷モードについて説明を行ったが、印刷する領域によっては、背景画像のみを印刷する場合や、カラー画像のみを印刷する場合もある。
【００２８】
図５Ａは、白色を調色する白調色の概念を示す説明図（その１）である。図５Ａには、ａ＊−ｂ＊平面におけるプリンター１の白インクの色の位置Ｐ１の一例を示している。図５Ｂは、白色を調色する白調色の概念を示す説明図（その２）である。図５Ｂには、さらに、ターゲットの白色の位置Ｐ２及びプリンター１の白インクにイエローインクを所定量混ぜた色の位置Ｐ３の一例を示している。図５Ｂに示すように、例えば、プリンター１の白インクにイエローインクを混ぜることにより、背景画像（調色白画像）の色をターゲットの白色に近づけることができる。また、仮に、ライトマゼンタのインクを噴射することができたとすると、さらにライトマゼンタ、イエローのインクを所定量混ぜることにより、背景画像の色をさらにターゲットの白色に近づけることができる。このように、背景画像の形成の際に、白色インクと白色以外の少なくとも１色のインクとを用いることにより、背景画像の色を所望の色とすることができる。
【００２９】
図６Ａは、カラー画像及び背景画像の色再現域（ガマット）の一例を示す説明図（その１）である。図６Ａには、−ｂ＊方向から見たカラー画像のガマットＧｃと背景画像のガマットＧｗとが示されている。図６Ｂは、カラー画像及び背景画像の色再現域（ガマット）の一例を示す説明図（その２）である。図６Ｂには、＋ａ＊方向から見たカラー画像のガマットＧｃと背景画像のガマットＧｗとが示されている。
【００３０】
本実施形態では、カラー画像の形成には、白色を除く４色のインクが用いられ、白色インクは使用されない。また、背景画像の形成には、白色とイエローとブラックとシアンとマゼンタとの５色のインクが用いられる。
【００３１】
尚、ライトシアンやライトマゼンタのインクを有するプリンターの場合には、シアンとマゼンタの代わりに、ライトシアンとライトマゼンタを用いて調色を行うこととしてもよい。
【００３２】
＜印刷パターン１＞
図７は、表刷りモードにおける印刷パターン１の説明図である。図８は、裏刷りモードにおける印刷パターン１の説明図である。図では説明の簡略のため、１ノズル列に属するノズル数を１４個に減らして描く。また、４色インク（ＹＭＣＫ）を各々噴射するノズル列をまとめて「カラーノズル列Ｃｏ」と示す。図７および図８はバンド印刷を示す。バンド印刷とは、１回のパスで形成されるバンド画像が搬送方向に並ぶ印刷方法であり、あるパスで形成されたラスターライン（移動方向に沿うドット列）の間に他のパスにてラスターラインを形成しない印刷方法である。
【００３３】
ところで、白インクのみを使用して背景画像を印刷すると、背景画像を印刷する白インクの色そのものの色が背景画像の色となる。しかし、同じように白インクと呼ばれるインクであっても、インクの材料などによって白色の色味が若干異なる。そのため、使用する白インクによってユーザーが所望する色とは異なる色の背景画像が印刷されてしまう場合がある。また、印刷物によっては、単純な白色ではなく、若干の有彩色を有する背景画像が所望されることもある。また、白い媒体を用いる場合、白い媒体においても、媒体の種類によって白色の色味が若干異なる。そのため、白い媒体に背景画像を印刷する際に、背景画像の白色と媒体の白色とが異なると、背景画像が目立ってしまう。
【００３４】
そこで、本実施形態では、前述のように、白インクと共に、少量のカラーインク（ＹＭＣＫ）を適宜使用して、所望の白色の背景画像（調整された白色の背景画像）を印刷する。即ち、背景画像を印刷する際に、プリンター１が噴射可能なカラーインクの中の少なくとも１色のカラーインクを使用すればよく、例えば、４色のカラーインクを全て使用してもよいし、２色のカラーインクを使用してもよい。このように、白インクとカラーインクで背景画像を印刷することで、白インクが若干の色彩を有する場合に、その色彩を打ち消すインクと共に背景画像を印刷することで、背景画像を無彩色に近づけることもできる。
【００３５】
なお、所望の白色の背景画像をプリンター１に印刷させるための印刷データは、プリンター１が予め記憶するようにしても良いし、プリンタードライバーが作成するようにしても良い。プリンター１のモニターやコンピューターの画面をユーザーが見るなどして、所望の背景画像の色の選択を行う場合には、選択された色に応じた背景画像の印刷データが生成されるようにするとよい。
【００３６】
図７の表刷りモードでは、媒体の所定領域に対して先に背景画像を印刷し、その上にカラー画像を印刷する。そのため、ホワイトノズル列Ｗの搬送方向上流側の半分のノズル（＃８〜＃１４（ノズル番号に記号無し）、以下、背景画像を形成するホワイトノズルをこのように示す）、及び、カラーノズル列の搬送方向上流側の半分のノズル（＃８〜＃１４（三角形にてノズル番号が囲われている）、以下、調色に使用されるカラーノズルをこのように示す）を、背景画像を印刷するための使用ノズルとし、カラーノズル列Ｃｏの搬送方向下流側の半分のノズル（＃１〜＃７（円にてノズル番号が囲われている）、以下、カラー画像を形成するカラーノズルをこのように示す）を、カラー画像を印刷するための使用ノズルとする。なお、表刷りモードでは、ホワイトノズル列Ｗの搬送方向下流側の半分のノズル（＃１〜＃７（ノズル番号上に「×」が記されている）、以下、不使用のホワイトノズルをこのように示す）からはインクが噴射されない。また、図７はバンド印刷であるため、１回の媒体搬送量がノズル列の半分の長さ（７個のノズル分長さ）「７Ｄ」となる。
【００３７】
つまり、表刷りモードでは、ホワイトノズル列Ｗの搬送方向上流側の使用ノズル及びカラーノズル列Ｃｏの搬送方向上流側の使用ノズルとカラーノズル列Ｃｏの搬送方向下流側の使用ノズルとで画像を形成する動作と、媒体を搬送量７Ｄだけ搬送する動作と、を繰り返す。その結果、媒体の所定領域はまずホワイトノズル列Ｗ及びカラーノズル列Ｃｏの搬送方向上流側の使用ノズル（＃８〜＃１４）と対向し、媒体の所定領域には背景画像が印刷される。尚、このとき、図に示されたように噴射時移動方向に移動しながらインクが噴射されるため、若干ながらホワイトインクのほうが調色用のカラーインクよりも先に媒体に着弾することになる。
【００３８】
その後、媒体が搬送方向下流側に搬送されることによって、媒体の所定領域はカラーノズル列Ｃｏの搬送方向下流側の使用ノズル（＃１〜＃７）と対向し、媒体の所定領域の背景画像上にカラー画像が印刷される。
【００３９】
逆に、裏刷りモードでは、図８に示すように、ホワイトノズル列Ｗの搬送方向下流側の半分のノズル（＃１〜＃７（ノズル番号に記号無し））及びカラーノズル列Ｃｏの搬送方向下流側の半分のノズル（＃１〜＃７（三角形にてノズル番号が囲われている））を、背景画像を印刷する使用ノズルとし、カラーノズル列Ｃｏの搬送方向上流側の半分のノズル（＃８〜＃１４（円にてノズル番号が囲われている））を、カラー画像を印刷する使用ノズルとする。なお、１回の媒体搬送量はノズル列の半分の長さ７Ｄである。その結果、媒体の所定領域はまずカラーノズル列Ｃｏの搬送方向上流側の使用ノズル（＃８〜＃１４）と対向し、媒体の所定領域にはカラー画像が印刷される。その後、媒体が搬送方向下流側に搬送されることによって、媒体の所定領域はホワイトノズル列Ｗ及びカラーノズル列Ｃｏの搬送方向下流側の使用ノズル（＃１〜＃７）と対向し、媒体の所定領域のカラー画像上に背景画像が印刷される。
【００４０】
このように、背景画像を印刷するホワイトノズル列Ｗのノズル（ノズル番号に記号無し）の搬送方向の位置と、同じく背景画像を印刷するカラーノズル列Ｃｏのノズル（三角形にてノズル番号が囲われている）の搬送方向の位置を、等しくする。そうすると、背景画像を印刷するために、媒体の所定領域に対して同じパスで白インクとカラーインクが噴射される。その結果、白インクとカラーインクが混ざり、背景画像の粒状感を低減することができる。
【００４１】
また、背景画像を形成するときにおいて、白インクが噴射される画素には、同一のパスにおいて調色用のカラーインクが噴射される。このようにすることによって、調色を行う際、同一のパスにおいて、白インクと調色用のカラーインクがほぼ同じタイミング（実際には、カラーインクが白インクよりも若干遅れて）で同じ画素に着弾するので、適度に両者は混色し、広い色再現域を得ることができる。そして、高明度かつ高彩度の色を再現し、適度に調整された背景画像を形成することができる。
【００４２】
また、背景画像を構成するカラーインクの割合は白インクの割合に比べて小さい。ただし、背景画像におけるカラーインクの粒状感を低減するため、カラーインクのドットをなるべく均一に分散することが好ましい。即ち、背景画像の単位領域あたりの白インク密度（ドット密度）に対して背景画像の単位領域あたりのカラーインク密度（ドット密度）を小さくする。そのため、背景画像を構成するカラーインクの割合は白インクの割合に比べて小さいものの、本実施形態では、背景画像を印刷するために使用するホワイトノズル列Ｗのノズル数とカラーノズル列Ｃｏのノズル数を等しくする。即ち、カラーノズル列Ｃｏに属する半分のノズルを用いて背景画像を印刷する。ただし、これに限らず、背景画像を印刷するために使用可能なカラーノズル列Ｃｏの半分のノズルのうち、数個置きのノズルを使用して背景画像を印刷してもよい。
【００４３】
尚、上述の実施形態では、カラー画像と重ねて形成される背景画像を調色する場合について説明を行ったが、カラー画像と重ねて形成されない背景画像を調色する場合であっても、ほぼ同様の動作によって行うことができる。
【００４４】
また、背景画像は白色をベースとするものとして説明を行ったが、ホワイトノズルＷをメタリックインクを噴射するメタリックインクノズルとすることとし、背景画像をメタリック調をベースとするものとしてもよい。
【００４５】
＜印刷パターン２＞
図９は、表刷りモードにおける印刷パターン２の説明図である。ここでも説明の簡略のため、１ノズル列に属するノズルを８個として描いている。尚、各ノズル番号に付された記号の意味は前述の印刷パターン１のものと同じである。
【００４６】
図９に示すような印刷を行うことによっても、上述と同様に調色された背景画像とカラー画像を得ることができる。また、このような媒体の搬送とした場合、所謂インターレース印刷を構成するので、使用ノズルを分散してバンディングむらを軽減させることもできる。
【００４７】
尚、印刷パターン２において裏刷りモードを行う場合、三角形にて示されている上流側カラーノズル列をカラー画像を印刷するためのノズル列として用い、記号が付されていない上流側ホワイトノズル列からはインクを噴射しないこととする。また、円の記号にて示されている下流側カラーノズル列を調色に使用されるカラーノズル列とし、「×」の記号にて示されている下流側ホワイトノズル列を背景画像を印刷するためのノズル列とする。このようにした上で、図９と同様の搬送を行うことで、裏刷りモードによる印刷を行うことができる。尚、裏刷りモードを行うとき、噴射時移動方向を、図９に示した方向とは反対の紙面左側とすることとしてもよい。
【００４８】
＜印刷パターン３＞
図１０は、表刷りモードにおける印刷パターン３の説明図である。ここでは、印刷パターン２と同様のノズル配列を用いるが、搬送量が異ならされている。そして、印刷開始位置以降に関する使用ノズルを参照すると、１つのラスターラインにカラー画像を形成するためのノズル（円で囲われている）が２回通過することが確認できる。つまり、このようにすることで、カラー画像に関しては、所謂オーバーラップ印刷を行うことができる。このようにすることによっても、上述と同様に調色された背景画像とカラー画像を得ることができる。
【００４９】
尚、印刷パターン３において裏刷りモードを行う場合の使用ノズルの対応は、前述の印刷パターン２のときと同じように入れ替えられる。このようにすることによって、裏刷りモードも実現することができる。
【００５０】
＜印刷パターン４＞
図１１は、印刷パターン４の説明図である。前述の印刷パターン１〜３では、上流側のノズルの数と下流側のノズルの数とを等しくしていたが、印刷パターン４のように、上流側のノズルの数と下流側のノズルの数とを異ならせる構成とすることができる。
【００５１】
このようにすることによっても、上述と同様に、適切に調色された背景画像とカラー画像を得ることができる。
【００５２】
＜印刷パターン５＞
図１２は、印刷パターン５の説明図である。印刷開始位置以降のノズルを参照すると、１つのラスターラインに、背景画像を形成するためのホワイトノズルと調色を行うためのカラーノズルが２回通過することが確認できる。つまりこのようにすることで、背景画像に関しても所謂オーバーラップ印刷を行うことができる。
【００５３】
＝＝＝その他の実施の形態＝＝＝
上述の実施形態では、１つのヘッドにおける上流側のノズル列と下流側のノズル列を用いて説明したが、ヘットは１つに限られない。例えば、上流側に第１ヘッドを設け、下流側に第２ヘッドを設けることもできる。それぞれのヘッドは、カラーインクのノズル列と、ホワイトノズル列を備える。このようにすることによっても、第１ヘッドのカラーインクのノズル列とホワイトノズル列を上流側のノズル列とすることができ、第２ヘッドのカラーインクのノズル列とホワイトノズル列を下流側のノズル列とすることができる。
【００５４】
また、実施形態として次のような印刷方法であってもよい。
【００５５】
（Ａ）媒体を搬送方向に搬送する搬送部と、
（Ｂ）前記媒体に背景色インクを噴射するノズルが前記搬送方向に沿って並ぶ上流側背景色ノズル列と、
（Ｃ）前記媒体にカラーインクを噴射するノズルが前記搬送方向に沿って並ぶ上流側カラーノズル列であって、該上流側カラーノズル列の各ノズルが前記上流側背景色ノズル列の各ノズルと前記搬送方向について重なる上流側カラーノズル列と、
（Ｄ）前記搬送方向について前記上流側背景色ノズル列よりも下流側に設けられる下流側背景色ノズル列であって、前記媒体に前記背景色インクを噴射するノズルが前記搬送方向に沿って並ぶ下流側背景色ノズル列と、
（Ｅ）前記媒体に前記カラーインクを噴射するノズルが前記搬送方向に沿って並ぶ下流側カラーノズル列であって、該下流側カラーノズル列の各ノズルが前記下流側背景色ノズル列の各ノズルと前記搬送方向について重なる下流側カラーノズル列と、
（Ｆ）前記搬送方向と交差する交差方向のうち往路方向及び復路方向のいずれかの方向に前記上流側背景色ノズル列と前記上流側カラーノズル列とを同時に移動させ、前記往路方向及び前記復路方向のいずれかの方向に前記下流側背景色ノズル列と前記下流側カラーノズル列とを同時に移動させる移動部と、
（Ｇ）少なくとも前記上流側カラーノズル列にカラー画像を形成させ、前記下流側背景色ノズル列と前記下流側カラーノズル列に背景画像を形成させる制御部と、
を備える印刷装置における印刷方法であって、
前記背景画像を形成する際に、前記往路方向及び前記復路方向のいずれかの方向への前記下流側背景色ノズル列と前記下流側カラーノズル列の同時の移動において、前記下流側背景色ノズル列と前記下流側カラーノズル列からそれぞれのインクを噴射させ前記背景画像を調色する、印刷方法。
【００５６】
また、上述の実施形態では、プリンター１が説明されていたが、これに限られるものではなくインク以外の他の流体（液体や、機能材料の粒子が分散されている液状体、ジェルのような流状体）を噴射したり吐出したりする液体吐出装置に具現化することもできる。例えば、カラーフィルタ製造装置、染色装置、微細加工装置、半導体製造装置、表面加工装置、三次元造形機、気体気化装置、有機ＥＬ製造装置（特に高分子ＥＬ製造装置）、ディスプレイ製造装置、成膜装置、ＤＮＡチップ製造装置などのインクジェット技術を応用した各種の装置に、上述の実施形態と同様の技術を適用してもよい。また、これらの方法や製造方法も応用範囲の範疇である。
【００５７】
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００５８】
＜白色について＞
なお、本明細書において「白色」とは、可視光線のすべての波長を１００％反射する物体の表面色である厳密な意味での白色に限らず、いわゆる「白っぽい色」のように、社会通念上、白色と呼ばれる色を含むものとする。「白色」とは、例えば、（１）x-rite社製の測色機eye-one Proを用いて測色モード：スポット測色、光源：D50、バッキング：Black、印刷媒体：透明フィルムで測色した場合に、Ｌａｂ系での標記がａ*ｂ*平面上で半径２０の円周及びその内側にあり、かつＬ*が７０以上で表される色相範囲内の色か、（２）ミノルタ製の測色計CM2022を用いて測定モードD502°視野、SCFモード、白地バックで測色した場合に、Ｌａｂ系での標記がａ*ｂ*平面上で半径２０の円周及びその内側にあり、かつＬ*が７０以上で表される色相範囲内の色か、（３）特開２００４−３０６５９１号公報に記載されているように画像の背景として用いられるインクの色をいい、背景として用いられるのであれば純粋な白に限られない。
【００５９】
＜ヘッドについて＞
前述の実施形態では、圧電素子を用いてインクを吐出していた。しかし、液体を吐出する方式は、これに限られるものではない。例えば、熱によりノズル内に泡を発生させる方式など、他の方式を用いてもよい。
【符号の説明】
【００６０】
１  プリンター、１０  コントローラー、
１１  インターフェース、１２  ＣＰＵ、
１３  メモリー、１４  ユニット制御回路、
２０  搬送ユニット、３０  キャリッジユニット、
４０  ヘッドユニット、４１  ヘッド、
５０  検出器群、６０  コンピューター
【図１】
0005742121.tif 000002
【図２】
0005742121.tif 000003
【図３】
0005742121.tif 000004
【図４】
0005742121.tif 000005
【図５】
0005742121.tif 000006
【図６】
0005742121.tif 000007
【図７】
0005742121.tif 000008
【図８】
0005742121.tif 000009
【図９】
0005742121.tif 000010
【図１０】
0005742121.tif 000011
【図１１】
0005742121.tif 000012
【図１２】
0005742121.tif 000013